Podtech/llm-jp-corpus-v4-ja_patent huggingface dataset:
(57)【要約】【課題】  理容作業中に頻繁に取りつけ、取外しを行うダッカール（髪留め）に対し、作業効率のよい留め具を提供する。【解決手段】  ダッカール留めを手首に腕時計の如く取り付けることにより、理容作業の効率が上がり、作業がスムーズに進む。【選択図】    図２
2006158933.tif 000002
【特許請求の範囲】
【請求項１】
ベルト（１）を手首に取りつけ、ダッカール留め（２）にダッカール（髪留め）を留めて理容作業に供するダッカール取り付けベルト。
【発明の詳細な説明】
【技術分野】
【０００１】  この発明は、理容作業において常に使用するダッカール（髪留め）を手元に保有することにより、理容作業をスムーズに行うことができるダッカール（髪留め）取付けベルトに関するものである。
【背景技術】
【０００２】  従来このダッカール（髪留め）を台に置いたり、腰に取り付けたりして作業していた。
【発明の開示】
【発明が解決しようとする課題】
【０００３】  これは理容作業において頻繁にダッカール（髪留め）を髪に取り付けたり、取り外したりする際、非常に作業性が悪く、落としたり、行方がわからなくなったりすることがあった。
本発明は、常に手元の見やすい場所にダッカール（髪留め）を置くことによってこれらの欠点を取り除くためになされたものである。
【課題を解決するための手段】
【０００４】  ベルト（１）を腕時計のように手首に取りつけ、ダッカール留め（２）にダッカール（髪留め）を留めて理容作業をすることにより、非常に作業効率が上がり、スムーズに作業が遂行できる。
【発明の効果】
【０００５】  理容作業をする際に常にダッカール（髪留め）が手元にあり、作業効率が上がり、紛失することが極端に減った。
【発明を実施するための最良の形態】
【０００６】  （イ）  ベルト（１）を図２のように手首に取りつけ、ダッカール留め（２）にダッカール（髪留め）を４〜５本通して留め、作業に応じて髪に取付けたり、脱着したりして使用する。
（ロ）  ベルトは人体に優しい皮革を使用することにより、肌との相性がよく、肌を傷めない。
【実施例１】
【０００７】腕にベルト（１）を取り付ける場合、図３の如く従来の腕時計のようにバックル方式とした。
【実施例２】
【０００８】腕にベルト（１）を取り付ける場合、別に折り返しスナップ止めのものを用意した。
【図面の簡単な説明】
【０００９】
【図１】  本発明の斜視図である。
【図２】  本発明の手首取付け図である。
【図３】  手首取付け具Ａ。
【図４】  手首取付け具Ｂ。
【符号の説明】
【００１０】１  ベルト
２  ダッカール留め
３  取付け具Ａ
４  取付け具Ｂ
【図１】
2006158933.tif 000003
【図２】
2006158933.tif 000004
【図３】
2006158933.tif 000005
【図４】
2006158933.tif 000006
(57)【要約】【課題】洗車機用ブラシとして使用するブラシの素材に関し、洗浄効果が有る上に車体表面には傷が付かないという高速洗車用ブラシ素材を提供することを目的とする。【解決手段】洗車機用ブラシの素材にポリエチレン製の糸を溶かして熔融させて交差してなした網目状の筒状ネット［ネトロン（１）］を使用する。【選択図】図１
2006158919.tif 000002
【特許請求の範囲】
【請求項１】
洗車機用ブラシの素材にポリエチレン製の糸を溶かして熔融させて交差してなした網目状の筒状ネット［ネトロン（１）］を使用することを特徴とする高速洗車用ブラシ素材。
【発明の詳細な説明】
【技術分野】
【０００１】  本発明は、洗車機用ブラシとして使用するブラシの素材に関するものである。
【背景技術】
【０００２】  従来、洗車機のトップブラシやサイドブラシなどの回転ブラシの素材としては、ポリエチレンモノフィラメントが主流であったが、車体面を傷つけずに洗浄効果を高めるために色々な素材や形状のものが提案されている。しかしながら、各素材には長所があるものの短所もあるというものが多くこれが最適という充分満足出来るものはなかった。【０００３】  例えば上記のポリエチレンモノフィラメントで言えば、直径が２〜３ミリメートルの硬い糸よりなり、風圧を避けられるので車の表面に当たる圧力が強くなり汚れを落とす効果はかなりあるが、車体に傷が付きやすいという問題点があった。【０００４】  そのような中で、形状を卍型にすることによって保水力を高めて車体を傷付けないように改良したブラシの素材も開発された（特許文献１参照）が、以前のものよりは改善されたが、これらはいずれも面ではなくて線で洗うことになり基本的に車体に傷が付きやすいことには変わりはなかった。【０００５】
【特許文献１】  公開番号：特許公開２００２−３２１６０１  公開日：２００２年１１月５日  出願人：タケウチテクノ株式会社  発明者：竹内  英二  発明の名称：洗車機用ブラシの毛材
【０００６】  そうした中で、不織布を束ねたブラシも出現しているが、この素材を使用したブラシは、確かに車体には傷は付かないものの、線ではなくて面で洗うことは洗うが、扇のように空気を含むので風圧により車の表面に当たる圧力が少なくなり、汚れを落とす洗浄力は物足りない。【０００７】  また、ポリエチレンの発泡体をスリットした軟質発泡体を使用したブラシもあるが、比重が軽すぎて風圧により車に当たる圧力が少ないので、これも洗浄力は今一歩である。
【発明の開示】
【発明が解決しようとする課題】
【０００８】  上記のように車の表面に当たる圧力が高くなればなるほど洗浄効果は上るが、車体表面に傷が付きやすいという相反する問題点があり、これらを克服するのが長年の課題であった。本発明は洗浄効果が有る上に車体表面には傷が付かないという高速洗車用ブラシ素材を提供することを目的とする。
【課題を解決するための手段】
【０００９】  上記問題点を解決するために、本発明は洗車機用ブラシの素材にポリエチレン製の糸を溶かして熔融させて交差してなした網目状の筒状ネット［品名ネトロン（１）］を使用することを最大の特徴とする。ネットの表面全体で洗うため傷が付かない。即ち交点（２）に織物や編物のように織目や網目があれば突起で傷が発生するが、このネットには織目や網目がないので傷は付き難くなる。
【発明の効果】
【００１０】  ネトロン（１）は織目や網目のないネットであり、目ずれもない。交点（２）の突起が少ないので、車体に傷が付き難い上にワイパーアームなどに絡む事がない。形状が網目状のため空気が抜けて空気抵抗が少ないので、車体表面に接触する圧力が大きくなりその結果洗浄力も大きくなる。【００１１】  糸の太さや目の粗さは自由に変えることが出来るので、汚れの落ち具合とネットの耐久性の両方に一番良い糸の太さと目の粗さを選択することが出来る。
【発明を実施するための最良の形態】
【００１２】  本発明を実施するための最良の形態について説明する。
洗車機用のブラシの素材にネトロン（１）を使用する。ネトロン（１）はポリエチレン製の糸を溶かして熔融させて交差してなした網目状の筒状ネットで、交点（２）に織目や網目のような突起が少ないことを特徴としている。
これを従来のポリエチレンフィラメントと同じようにトップブラシ・サイドブラシなどの回転ブラシの全てに使用する。
【図面の簡単な説明】
【００１３】
【図１】本発明品の高速洗車用ブラシ素材の斜視図
【符号の説明】
【００１４】（１）  ネトロン
（２）  交点
【図１】
2006158919.tif 000003
(57)【要約】【課題】  乳幼児のおむつ交換時の寝返りを防止し、容易に作業が行えることで、おむつ交換する者にかかる大きな負担を減少させる乳幼児用寝返り防止具を提供することを目的とする。【解決手段】  乳幼児を寝かせる板状態の軽量物１に、左肩から右胸にかけての部分を固定する固定具２Ａ、２Ｂと、右肩から左胸にかけての部分を固定する固定具３Ａ、３Ｂを設けたことを特徴とする。【選択図】  図１
2006158911.tif 000002
【特許請求の範囲】
【請求項１】
乳幼児を寝かせる板状態の軽量物１に、左肩から右胸にかけての部分を固定する固定具２Ａ、２Ｂと、右肩から左胸にかけての部分を固定する固定具３Ａ、３Ｂを設けたことを特徴とする乳幼児用寝返り防止具。
【発明の詳細な説明】
【技術分野】
【０００１】  本発明は、乳幼児のおむつ交換時の寝返りを防止し、作業を容易にする乳幼児用寝返り防止具に関する。
【背景技術】
【０００２】  従来、ベルトや帯など付いていない敷物の上で乳幼児を寝かせ、おむつ交換をしていた。
【発明の開示】
【発明が解決しようとする課題】
【０００３】  しかしながら、上述した従来のおむつ交換では、乳幼児が寝返りをする為おむつ交換が困難で時間がかかり、おむつ交換する者にとって大きな負担となっていた。【０００４】  本発明は、このようなおむつ交換時の寝返りを防止し、容易に作業が行えるよう発明されたものである。
【課題を解決するための手段】
【０００５】  本発明の乳幼児用寝返り防止具は、板状態の軽量物１に乳幼児を寝かせ、左肩から右胸にかけての部分を固定する固定具２Ａ、２Ｂと、右肩から左胸にかけての部分を固定する固定具３Ａ、３Ｂにて乳幼児の体を固定するものである。
【発明の効果】
【０００６】  本発明は、以下に記載されるような効果を奏する。
請求項１記載の発明乳幼児用寝返り防止具によれば、おむつ交換時の乳幼児の寝返りを防止することで作業が容易に行え、おむつ交換する者にかかる大きな負担を減少することができる。
【発明を実施するための最良の形態】
【０００７】  以下、本発明を実施するための最良の形態について説明する。
最初に、乳幼児用寝返り防止具の構成について説明する。【０００８】  図１は、本発明の乳幼児用寝返り防止具の全体図と、帯状態の各固定具２Ａ、２Ｂ、３Ａ、３Ｂに長さ調節可能なマジックテープ（登録商標）を使用した平面図である。
乳幼児用寝返り防止具は板状態の軽量物１、長さ調節可能なマジックテープを使用した帯状態の左肩と右胸用固定具２Ａ、２Ｂおよび右肩と左胸用固定具３Ａ、３Ｂからなっている。板状態の軽量物１、長さ調節可能なマジックテープを使用した帯状態の左肩と右胸用固定具２Ａ、２Ｂおよび右肩と左胸用固定具３Ａ、３Ｂについて説明する。【０００９】  乳幼児を寝かせる板状態の軽量物１は、縦方向が１ｍ前後、これは２歳児の幼児で身長の高い幼児の身長を考慮した上で適当と思われる長さである。横幅は４０ｃｍ前後、やはり２歳児の幼児の肩幅より多少広い必要があるため、この程度かと思われる。
板状態の軽量物１の基本素材は、木材など軽く丈夫なものである。基本素材の上に、ウレタンなどのクッション材を施し、表面には汚れても簡単に拭け、さらに乳幼児の体が滑らず動きにくいよう、アクリルコーティングされている布地などで仕上げる。【００１０】  左肩から右胸にかけての部分を固定する帯状態の固定具２Ａ、２Ｂと、右肩から左胸にかけての部分を固定する帯状態の固定具３Ａ、３Ｂの基本素材は、汚れても簡単に拭け、さらに乳幼児の体が滑らず動きにくいよう、滑りにくくアクリルコーティングされている布地などを使用する。【００１１】  左肩から右胸と右肩から左胸にかけての部分を固定する帯状態の固定具２Ａ、３Ａが設けられる位置は、板状態の軽量物１に乳幼児が寝た際の両肩に相当する位置である。左肩から右胸と右肩から左胸にかけての部分を固定する帯状態の固定具２
Ｂ、３Ｂが設けられる位置は、板状態の軽量物１に乳幼児が寝た際の側胸部に相当する位置である。【００１２】  左肩から右胸にかけての部分を固定する帯状態の固定具２Ａ、２Ｂと、右肩から左胸にかけての部分を固定する帯状態の固定具３Ａ、３Ｂは、乳幼児を寝かせる板状態の軽量物１に縫製され固定される。【００１３】左肩から右胸にかけての部分を固定する帯状態の固定具２Ａ、２Ｂと、右肩から左胸にかけての部分を固定する帯状態の固定具３Ａ、３Ｂは固定部分がマジックテープ（登録商標）等簡易式無段階調節式となっている。【００１４】  左肩から右胸にかけての部分を固定する帯状態の固定具２Ａ、２Ｂと、右肩から左胸にかけての部分を固定する帯状態の固定具３Ａ、３Ｂは、板状態の軽量物１に乳幼児を寝かした際、左肩から右胸にかけての部分と、右肩から左胸にかけての部分を固定する働きがあり、これを設けたことで乳幼児の寝返りを防止する。【００１５】  以上のことから、本発明を実施するための最良の形態によれば、乳幼児用寝返り防止具は乳幼児のおむつ交換時の寝返りを防止するため、容易に作業が行えおむつ交換する者にかかる大きな負担を減少させることができる。【００１６】  なお、本発明は上述の発明を実施するための最良の形態に限らず、本発明の要旨を逸脱することなくその他種々の構成を採り得ることはもちろんである。
【図面の簡単な説明】
【００１７】
【図１】本発明の乳幼児用寝返り防止具の全体図と、帯状態の各固定具の固定部分に長さ調節可能なマジックテープを使用した平面図である。
【図２】帯状態の各固定具の固定部分に長さ調節可能なマジックテープを使用した乳幼児用寝返り防止具の上に、乳幼児をねかせた平面図である。
【図３】帯状態の各固定具の固定部分に長さ調節可能なマジックテープを使用した乳幼児用寝返り防止具の上で、乳幼児の左肩から右胸にかけての部分を固定し、止めた平面図である。
【図４】帯状態の各固定具の固定部分に長さ調節可能なマジックテープを使用した乳幼児用寝返り防止具の上で、乳幼児の左肩から右胸にかけての部分と、右肩から左胸にかけての部分を固定し、止めた平面図である。
【符号の説明】
【００１８】１・・・板状態の軽量物、
２Ａ、２Ｂ・・・マジックテープを使用した帯状態の左肩と右胸固定具
３Ａ、３Ｂ・・・マジックテープを使用した帯状態の右肩と左
【図１】
2006158911.tif 000003
【図２】
2006158911.tif 000004
【図３】
2006158911.tif 000005
【図４】
2006158911.tif 000006
(57)【要約】【課題】      ゴルフショット時に於いて、手首を容易に固定でき又、コンパクトに折りたたみ自由な、手首固定具付きゴルフグローブにする。【解決手段】  折りたたみのできる例えば蝶つがいような板状のもの２に、バネ材３を取り付け、脱着用固定具４で、密着固定できるようにして、ゴルフグローブの甲の部分に装着するようにしたものである。【選択図】  図２
2006158913.tif 000002
【特許請求の範囲】
【請求項１】
ゴルフプレイの、ショットの時に手首のムダな動きを抑制する為に例えば折りたたみができる蝶つがいの様な板状なものに、バネ材を取付けゴルフグローブの甲の部分に装着し、バネ材の反発によってショット時の手首の動きを固定でき又、使用後は折りたたんで、板状の接点に取付けた脱着用固定具でコンパクトに密着固定できるようにした、手首固定具付きゴルフグローブ。
【発明の詳細な説明】
【技術分野】
【０００１】本発明は、折りたたみのできる例えば蝶つがいの様な板状のものに、バネ材を取付け、ゴルフグローブの甲の部分に装着し、バネ材の反発によってショット時の手首の動きを固定でき又、使用後は折りたたんで、板状の接点部分に取付けた脱着用固定具で、密着固定できるようにコンパクトな形になっている。
【背景技術】
【０００２】従来、ゴルフショット時の手首固定には、手首にサポーターを巻いたり、テーピングなどを施したりしていたが、使用後のすばやい脱着が不可能であった。
【発明の開示】
【発明が解決しようとする課題】
【０００３】ゴルフショット、特にアプローチショットやパターショットでは、手首は固定するのが基本であるが無意識に動いてしまう、いわゆるコックして失敗することが多く見られ、多くのゴルファーの悩みでもある。
【課題を解決するための手段】
【０００４】本発明は、それらの課題を解決するために発案されたもので、それを図面について説明すれば、折りたたみのできる例えば蝶つがいのような板状のもの２に、バネ材３を取り付け、脱着用固定具４で、密着固定できるようにして、ゴルフグローブの甲の部分に装着するようにしたものである。
【発明の効果】
【０００５】したがって、ゴルフショット時にこの固定具を開いて使用し、使用後は折りたたんで密着固定して元にもどせるようしてあり、違和感も無く又、ゴルフショット時の不安感も解消できる。
【発明を実施するための最良の形態】
【０００６】この手首固定具付きゴルフグローブは、普段は甲側に密着固定しておき、ショット時に固定具を開いて使用し、使用後は元に戻しておく。
【実施例】
【０００７】（イ）  直接肌に触れる部分がある場合があるので、肌あてなどを施すなどの処置をすることによって違和感がなくなり、より使い易くなる。
（ロ）  脱着用固定具が、不意にはずれることが無いように、頑丈に固定できるようにすることが好ましい。
【産業上の利用可能性】
【０００８】現在、全国しいては世界のゴルフ人口は、老若男女含め年々増え続けており、その中でも上記【０００３】の様な、問題や悩みをお持ちの方が数多くおられると考えられ、商品化した際にそれらの人々に役立ち又、普及することによって、社会や産業への貢献が期待できるものである。
【図面の簡単な説明】
【０００９】
【図１】  手首固定具の側面図である。
【図２】  手首固定具付きゴルフグローブの実施図である。
【符号の説明】
【００１０】１  ゴルフグローブ
２  手首固定具
３  バネ材
４  脱着用固定具
【図１】
2006158913.tif 000003
【図２】
2006158913.tif 000004
(57)【要約】      （修正有）【課題】  電気掃除機で掃除中、吸引ノズルが、物に吸着し掃除に手間取ることがなく進行することができる吸引ノズルを提供する。【解決手段】  吸引ノズル１の背面に穴２を設け空気を吸引することで、負圧上昇が押さえられ、吸着するのを解決した。【選択図】  図１
2006158916.tif 000002
【特許請求の範囲】
【請求項１】
背面に空気の流入穴を設けた吸引ノズル
【発明の詳細な説明】
【技術分野】０００１  電気掃除機吸引ノズル（１）の背面に穴（２）を開け、空気を流入させ  ノズル内負圧上昇を押さえ、物（５）に吸着しにくくした。
【従来の技術】
０００１  掃除用空気は、吸引ノズル（１）の先端から吸引している。
【発明が解決しようとする課題】
０００１  掃除は吸引ノズルの先端縁（３）を物（５）に近接させて行うため、ノズル内負圧が高まり、薄い物（５）、軽い物（５）は、容易に吸着する。吸着すると内部負圧が更に上昇して物（５）は外れにくくなる。０００２  近接し負圧が高まれば吸引空気量が減少し掃除能力も減少する。
【課題を解決するための手段】
０００１  吸引ノズル（１）の背面に穴（２）を開け空気を流入させるようにした。
【発明の実施の形態】
０００１  背面に明けた穴（２）は、流入空気が物（５）に吹き当たり掃除効果が上がるよう、配置、向きを工夫した。０００２  吸引ノズル（１）の空気量は、ノズル先端縁（３）からは、物（５）に近接するほど減少するが、背面穴（２）からの流入が増えるため掃除に必要な空気量は確保される。
【発明の効果】
０００１  吸引ノズル（１）が、物（５）に吸着しにくくなり掃除が進行する０００２  吸引空気で回転するノズル内の回転ブラシ（４）も回転力が落ちない。０００３  ノズル先端を物に押し当てた状態でも掃除ができる。
【図面の簡単な説明】
【図１】ノズル断面図
【符号の説明】
（１）  吸引ノズル（２）  穴（３）  ノズル先端縁（４）  回転ブラシ（５）  物
【図１】
2006158916.tif 000003
(57)【要約】      （修正有）【課題】野菜の芯及び種を取りつつ身を望む大きさに裁断することができる野菜の裁断具を提供する。【解決手段】受け皿５の中心に嵌め込んで立てられた円錐状筒１の先端円形開口部の周縁に多数の突起２を設けこの円錐状筒１の外面に沿って垂直に複数の刃３が等間隔に立設されている野菜の芯及び種取りと身の裁断分離を一連の動作でできることとした。【選択図】図１
2006158920.tif 000002
【特許請求の範囲】
【請求項１】
受け皿（５）の中心に嵌め込んで立てられた円錐状筒（１）の先端円形開口部の周縁に先を尖らせた多数の突起（２）を設けこの円錐状筒（１）の外面に沿って垂直に上側先端部を尖らせた複数の刃（３）が等間隔に立設されていることを特徴とする野菜の芯及び種取り裁断具。
【請求項２】
上記受け皿（５）の下側に容器（６）が着脱自在に嵌め込まれていることを特徴とする請求項１記載の野菜の芯及び種取り裁断具。
【発明の詳細な説明】
【技術分野】
【０００１】本発明は野菜の芯及び種をとりつつ裁断し身と分離することのできる道具に関する。
【背景技術】
【０００２】特開平１０−１４７５２号公報にはピーマンの種取り具が提案されているが望む大きさに裁断できるものではない。
【特許文献】特開平１０−１４７５２号
【発明の開示】
【発明が解決しようとする課題】
【０００３】本発明は上記課題を解決するために発明されたものである。
【課題を解決するための手段】
【０００４】請求項１記載の芯及び種取り裁断具（以下、本発明１という）は受け皿５の中心に嵌め込んで立てられた円錐状筒１の先端円形開口部の周縁に先を尖らせた多数の突起２を設けこの円錐状筒１の外面に沿って垂直に上側先端部を尖らせた複数の刃３が等間隔に立設されていることを特徴とする。【０００５】本発明１は野菜を調理する内容に応じて円錐状筒１を交換する為受け皿５とは、嵌合部４で接続されていて円錐状筒１の外面にある刃３の数が違う別に用意された円錐状筒１と交換が可能となされている。またはこの刃３は円錐状筒１の外面に垂直の溝を設け、この溝に必要な枚数の刃を取り外し差込が可能なように取り付けてもよい。【０００６】上記受け皿５の下側に容器６とはワンタッチで着脱自在ができる嵌めこみ式になっている。
【発明の効果】
【０００７】本発明の効果として本発明１は芯及び種の除去、裁断が一連の動作ですべてが出来、刃の数が違う円錐状筒１を交換すれば刃３で、または円錐状筒１の外面に垂直の溝を設けた刃３を必要な枚数、取り外し差込を可能にすれば調理の内容により身の大切り、細切りの使い分けが出来る。【０００８】本発明２は上記効果がすべて発現するとさらに突起２で切り取った芯及び種は容器６と刃３で裁断された身は受け皿５でそれぞれ分離、集積され後の作業が簡単になる。
【発明を実施するための最良の形態】
【実施例】
【０００９】以下本発明の実施例について図面を用いて説明する。【００１０】図１の本発明は合成樹脂製の材料で直径１６０ｍｍ、深さ１０ｍｍの円形受け皿５の、中心に嵌めこんで立てられた合成樹脂製材料円錐状筒１の先端円形開口部に、直径２５ｍｍの周縁に先を尖らせた多数の突起２を設け、この円錐状筒１の外面に沿って、垂直に合成樹脂製材料で底辺６０ｍｍ、高さ２０ｍｍの三角形で短い辺の先端部を尖らせた複数の刃３を上向きにして１２ｍｍおき等間隔に８枚立設されている円錐状筒１に取り付けられ、受け皿５と接続されている。円錐状筒１の底部と、受け皿５の中心部には直径４０ｍｍの開口があり、嵌合部４でワンタッチの嵌め込み式またはネジ式に、受け皿５と合成樹脂製材料で直径１６０ｍｍ、深さ４０ｍｍの容器６も着脱自在でワンタッチの嵌め込み式になっている。容器６は円形に限らず四角形、多角形、楕円形その他どのような形でもよい。【００１１】図２は本発明の実施例を実際に使用する状況を説明すると、野菜のピーマンまたはパプリカの芯を下側にして突起２に当て少し左右に回転させながら上部を下に押すと芯が切断され、続いて種と一緒に円錐状筒１の内側を通り容器６に落ち、身は刃３で裁断され受け皿５に滑り落ち芯及び種取り、身の裁断分離を一連の動作なすことが出来た。
【産業上の利用可能性】
【００１２】本発明は上述したとおり野菜の芯及び種取りと身の裁断分離に使用できるので家庭や外食産業等で調理時の便宜が向上する。
【図面の簡単な説明】
【００１３】
【図１】本発明の実施の例を示す説明図
【図２】本発明の実際に使用している状況を示す説明図
【符号の説明】
【００１４】１  円錐状筒
２  突起
３  刃
４  嵌合部
５  受け皿
６  容器
【図１】
2006158920.tif 000003
【図２】
2006158920.tif 000004
(57)【要約】【課題】  これまで火を点じる艾が灸治に用いられていたが、脂や煙で部屋が汚れ、施灸室での在室が長時間に亘ると人体に療とする灸が煙を伴うために、逆に人体に煙害の悪影響を及ぼす問題がある。【解決手段】  温風の吹き出し口近傍内部に灸用エキス吸収材を設け、温風吹き出しフードの一端に海綿状（スポンジ）の押し圧弾性体を持たせ、エキスを含ませたエキス吸収材に接する温風にエキスの湿度を含ませ、更に該温風をフード一端の押圧スポンジに吹き当て、その先端を介して灸エキスを体の施灸部に宛がう方法で解決した【選択図】図１
2006158914.tif 000002
【特許請求の範囲】
【請求項１】
温風の吹き出し口近傍内部に灸用エキス吸収材を設け、温風吹き出しフードの一端に海綿状（スポンジ）の押し圧弾性体を持たせ、又はフードを筒状にしてその先端を体の施灸部分に宛がい温風指圧する事を特徴とした温風灸指圧具。
【発明の詳細な説明】
【技術分野】
【０００１】  本発明は、温熱灸指圧具に関する。
【背景技術】
【０００２】  従来、温熱灸指圧具において、灸エキス湿度を含ませた温風を施灸部に宛がう方式のものは無かった。
【発明の開示】
【発明が解決しようとする課題】
【０００３】
【０００４】  解決しようとする問題点は、これまで火を点じる艾が灸治に用いられていたが、脂が灸具にこびりついて除去が容易ではなく、また施灸室全体に艾の煙が充満して部屋が汚れ、在室が長時間に亘ると人体に煙害の悪影響を及ぼす点である。
【課題を解決するための手段】
【０００５】本発明は、温風吹き出しフードの内部に灸エキスを含ませる吸収材を設け、その吸収材を掠めてエキスの湿度を含む温風を直接施灸部に当て、又はフードの先端に指圧スポンジを付けて施灸部に宛てがい灸エキス湿度を持たせた温風で施灸することを最も主要な特徴とする。
【発明の効果】
【０００６】  本発明の温風灸指圧具は、小型軽量で取扱い易く、灸エキスの湿度を含んだ温風で間接的に施灸するので安全で動物にも温風灸を施すことができる。
【発明を実施するための最良の形態】
【０００７】  灸材エキスを用いる温熱指圧において、エキスを含ませたエキス吸収材に温風を掠らせてエキス湿度を含んだその温風の温熱をフード先端に設けた押当て、スポンジを介して施灸部に宛がい、又は筒状のフード口を直接施灸部に宛がい温風を直に当てる方法で実現した。
【実施例１】
【０００８】  図１は本発明の１実施例の側面断面図であり、１は温風灸指圧具である。
温風灸指圧具１は、ファン２と発熱体３、灸エキス吸収材４を内蔵し、一端に指圧スポンジ５を持つフード６を設けて構成する。【０００９】  ２はファンである。
ファン２は、発熱体３に向かって送風する。【００１０】  ３は発熱体である。発熱体３は、ファン２と灸エキス吸収材４の間に在って、ファン２の送風に熱を加えて温風にする。【００１１】  ４は灸エキス吸収材である。灸エキス吸収材４は、枇杷の葉から抽出した灸に用いるエキスを吸収させ、掠る温風に灸エキスを加湿する。【００１２】  ５は指圧スポンジである。指圧スポンジ５は、フード６の温風出口に在って、灸エキスを含んだ温風を受けて温熱を持たせ、外部に突出した先端部で体の施灸部に押しあてる。【００１３】  ６はフードである。フード６は温熱灸指圧具１本体に着脱自在に設け、本体側近傍内部に灸エキス吸収材４を設ける。
因みにフード６を口広の筒状に形成して温風を直接施灸部に当てる動物用の温風灸指圧具としても使用できる。
【産業上の利用可能性】
【００１３】  温風灸指圧具は、馬などの大型動物やペットの小型動物への施灸にも利用可能である。
【図面の簡単な説明】
【００１４】
【図１】温風灸指圧具の実施方法を示した説明図である。（実施例１）
【図２】フード内部の実施方法を示した説明図である。（実施例１）
【符号の説明】
【００１５】１  温風灸指圧具
２  ファン
３  熱源体
４  灸エキス吸収材
５  指圧スポンジ
６  フード
【図１】
2006158914.tif 000003
【図２】
2006158914.tif 000004
(57)【要約】      （修正有）【課題】手の甲側と手のひら側にあるツボを休憩時間のように限られた時間で無意識に刺激できるようにした健康器具を提供する。【解決手段】手の甲側を押さえ込む面４と手のひら側を押さえ込む面５を弾力性を有する部分３で連結させて、手の甲側と手のひら側に挟み込み装着し使用することで、使用時間を限定せずに、装着している間は手の動き指の動きにあわせて無意識に刺激できる。【選択図】図１
2006158912.tif 000002
【特許請求の範囲】
【請求項１】
手の甲側と手のひら側を挟み込んで装着することで手の動き指の動きにあわせてツボを刺激することを特徴としたもので着脱可能な手のツボ刺激健康器具。
【発明の詳細な説明】
【技術分野】
【０００１】      本発明は、健康器具に関するものであり、着脱可能なもので手の甲側と手のひら側を挟み込むようにして装着することで手の甲側と手のひら側を押さえ込み、手の動き指の動きにあわせながら手の幾つかのツボを刺激することを可能にした手のツボ刺激健康器具である。
【背景技術】
【０００２】      現在、手にある幾つかのツボを刺激するものとしては、疲れた後で休憩時間のように限られた時間の中で器具を使用し刺激させて疲れ等を回復するものは存在しているが、これでは日常作業の中においての疲労等を予防することにはならないものである。
【発明の開示】
【発明が解決しようとする課題】
【０００３】      手の甲や手のひらには幾つかのツボが存在しており、そのツボを休憩時間といった限られた時間の中で使用することは、疲れて切っている状況の中ではかなり面倒なものであり、また直ぐには回復できないものである。本発明は、使用する状況を全く意識することなく、日常生活の中において手に装着しておくだけで無意識の間に手にある幾つかのツボを手の動き指の動きにあわせて刺激させることで疲労等の予防を可能にする健康器具としての解決を課題とする。
【課題を解決するための手段】
【０００４】      この課題を解決するための請求項１の発明は、図１のように手の甲側を押さえ込む面と手のひら側を押さえ込む面を弾力性を有したもので連結しておくことで、手の甲側と手のひら側を挟み込んで装着することを可能にし、その両方から押さえ込むことで使用できるようにするものである。これによって、装着している間は手にある幾つかのツボを手の動き指の動きにあわせて無意識のうちに刺激させることが可能になる。【０００５】      更に、その押さえ面の内側の面には各ツボを適度な柔らかさで刺激できるように手を押さえる面には柔軟な突起部分（図１と図２を参照）を設けるようにし、またその部分に磁石を用いる等の工夫を施すことで、より効果的な健康器具として使用することができるようになる。本発明の器具全体を弾力性を有したものにしておけば装着する時はすみやかに装着することが可能になり、また装着した後も手の動き指の動きによる筋肉の伸縮にあわせて柔軟に対応できることになって、常時適度な力で押さえることが可能になり適度な刺激を与えることができるようになる。【０００６】      本発明の健康器具は、手の指間にだけ装着して使用するものに限定したものではなく、気になる手の甲側、手のひら側部分に届く場所で挟み込むように装着して使用することが可能であるために、気になる手の部分を効果的に刺激することが可能になる。これによって本器具を使用した時は、手にある幾つかのツボをより必要に応じた場所で効果的に刺激し易くすることができることになり、日常作業においても手の甲側と手のひら側を挟み込んで装着するために安定した状態で利用することができるようになり、自然な動きの中で無意識に疲労等の予防の手助けをするための健康器具として利用することができるようになる。
【発明の効果】
【０００７】      本発明の健康器具は、手の甲側と手のひら側部分を挟み込むようにして装着しその両方を押さえ込み使用するために安定した状態で使用することができ、幾つかのツボを手の動き指の動きにあわせながら刺激することが可能になるものであり、日常生活の作業を行う中で無意識にツボを刺激することになって肩こり防止や疲労予防の手助けをする健康器具として利用することが可能になる。
【発明を実施するための最良の形態】
【０００８】      図３、図４のように各指間に応じて使用する場合は、それぞれに取り付ける指間にあわせて手の甲側と手のひら側を押さえ込むための面を弾力性を有するものにしておくことや、また使用目的の指間にあわせて表面積の大きさを変えて予め用意しておくことも可能であり、また刺激するための突起部分にはスポンジやゴム等の柔軟性を有するものにしておくことで、常時心地よい刺激を与えることになり幾つかのツボを適度な力で刺激することができる疲労予防の健康器具となる。
【産業上の利用可能性】
【０００９】      本発明にかかる健康器具は、工業的に量産することが可能であるために、産業上の利用可能性を有する。【００１０】      また、本発明器具において手の甲側や手のひら側の部分に触れない人目に触れる外側面については幾つかのデザインを施すことも可能であり、これによってファッション用具としても兼用することができるようになり、これによって使用用途を広げることが可能な健康器具として利用することが可能になる。
【図面の簡単な説明】
【００１１】
【図１】      健康器具の側面図である。
【００１２】
【図２】      健康器具の斜視図である。
【００１３】
【図３】      健康器具を手の指間に取り付けた時の手の甲側の図である。
【００１４】
【図４】      健康器具を手の指間に取り付けた時の手のひら側の図である。
【符号の説明】
【００１５】      １    手の甲側の押さえ面に用意する突起部分、または磁気部分
２    手のひら側の押さえ面に用意する突起部分、または磁気部分
３    手の甲側、手のひら側の押さえ面を連結する弾力性を有した部分
４    手の甲側の押さえ面の外側部分
５    手のひら側の押さえ面の外側部分
６    手の甲側の押さえ面に用意する突起部分、または磁気部分
７    手のひら側の押さえ面に用意する突起部分、または磁気部分
８    手の甲側、手のひら側の押さえ面を連結する弾力性を有した部分
９    手の甲側の押さえ面の外側部分
１０  手のひら側の押さえ面の外側部分
１１  手の甲側
１２  指間に取り付けた時の健康器具の手の甲側の外側面の状態
１３  手のひら側
１４  指間に取り付けた時の健康器具の手のひら側の外側面の状態
【図１】
2006158912.tif 000003
【図２】
2006158912.tif 000004
【図３】
2006158912.tif 000005
【図４】
2006158912.tif 000006
(57)【要約】      （修正有）【課題】今まで磨きにくかった、奥歯の奥や側面、前歯の裏側、下の歯の裏側、裏からでも、隙間、溝の部分を無理なくきれいに磨きたい。【解決手段】  歯ブラシの形をＬの字型にすることにより、ブラシの毛のはえる向きを、無理なく歯の裏から当てられる向きにすることにより、この課題を解決する。【選択図】図３
2006158917.tif 000002
【特許請求の範囲】
【請求項１】
Ｌの字型を特徴とし、ブラシの毛の方向を考えた歯ブラシ。
【請求項２】
Ｌの字型を特徴とし、ブラシの毛の方向を考えた歯ブラシの先端部分をとがらせたもの。
【発明の詳細な説明】
【技術分野】
【０００１】  本発明は、歯ブラシに関するものであり、形状に工夫を加える事によって、ブラシの面の向きを都合の良い方向にし、奥歯や前歯や下の歯の裏横を無理なくブラッシングすることができるものである。［背景技術］【０００２】  従来からの歯ブラシとして、同じ方向のブラシ面のものが利用されている。［発明の開示］［発明が開発しようとする課題］【０００３】  しかし、従来のような歯ブラシの形状では、ブラシの毛の向きが不都合で、奥歯の横、裏側も磨きにくく、前歯の裏側の溝の汚れや、下の歯の裏側などの汚れがなかなか落とせない。つまり、部分によっては、歯の向きと歯ブラシの形、方向のバランスが悪く、非常に磨きにくい。本発明は、このような非常に磨きにくさを解決することを課題とする。［課題を解決するための手段］【０００４】  この課題を解決するための請求項１の発明は、歯ブラシの形をＬの字型にし、その部分からブラシの毛を伸ばしたことを特徴とする、今までとても磨きにくかった部分を簡単に磨きやすくした歯ブラシである。【０００５】  また、請求項２の発明は、Ｌの字型の歯ブラシの先端をとがらしたことを特徴とする、磨きにくい溝や、隙間の部分をも磨きやすくした歯ブラシである。［発明の効果］【０００６】  本発明により、通常では磨きにくかった部分も磨きやすくなり、虫歯、歯周病、口臭、歯石がたまるなどの予防に役に立つのではないかとおもいます。［発明を実地するための最良の形態］【０００７】  図１は、歯ブラシの形をＬの字型にし、先の面からブラシを配したことにより、歯の裏からでも素直に簡単にブラッシング出来る事を特徴とする歯ブラシである。【０００８】  図２は、Ｌの字型の先端をとがらせたことを特徴とする歯ブラシである。これにより、歯の裏の溝にはまり、溝の汚れまで取れやすい。【０００９】  これらの歯ブラシの幅や、ブラシの毛の長さは歯の部分によってケースバイケースであってよい。
【図面の簡単な説明】
【００１０】
【図１】歯ブラシの形状をＬの字型にし、先の面からブラシの毛を伸ばした歯ブラシを全体的に横から見た図と、ブラシ面のみを正面から見た図。
【図２】歯ブラシの形状をＬの字型にし、先端をとがらせた形で、先の面からブラシの毛を伸ばした歯ブラシを全体的に横から見た図と、ブラシ面のみを正面から見た図。
【図３】歯をＬの字型歯ブラシで磨くようす。
【符号の説明】
【００１１】  １  前歯の裏  ２  下の歯の裏  ３  奥歯
【図１】
2006158917.tif 000003
【図２】
2006158917.tif 000004
【図３】
2006158917.tif 000005
(57)【要約】【課題】室内の温度が低下しても肩口が冷え込まず温度変化による呼吸器系統のアレルギー症状の防止に努める、肩口枕元周辺を暖房する電気毛布を提供する。【解決手段】本発明は毛布などの基布に電気毛布などの発熱体を両側約四角に取り付け、発熱体のない中央部に枕を置き、電源を入れ、左右の電気毛布部分が温まり、枕元肩口周辺を暖房する。【選択図】図１
2006158420.tif 000002
【特許請求の範囲】
【請求項１】
毛布などの部材に、左右両側に発熱部が電気毛布などからなる発熱体を約四角に取り付け、毛布などからなる中央部に枕を置き使用する肩口枕元付近の暖房作用のある電気毛布。
【発明の詳細な説明】
【技術分野】
【０００１】
本発明は、毛布などの基布に四角の電気毛布などの発熱体を両側約四角に取り付け、中央部に枕を置き肩口、枕元周辺を暖房する電気毛布である。
【背景技術】
【０００２】
従来の電気毛布は肩まで暖めることはできましたが、肩口枕元周辺部は寒く、肩こりの原因であり、夜中の温度変化に対応した、肩口枕元周辺部を暖房する電気毛布はありませんでした。
【特許文献１】実開Ｈ０２−００８８９５
【発明の開示】
【発明が解決しようとする課題】
【０００３】
本発明は従来の掛け布団位置までの電気毛布ではなく、肩口枕元周辺を暖房する電気毛布を提供する。
【課題を解決するための手段】
【０００４】
本発明は毛布などの基布に電気毛布などの発熱体を両側約四角に取り付け、発熱体のない中央部に枕を置き、電源を入れ、左右の電気毛布部分が温まり、枕元肩口周辺を暖房する。
【発明の効果】
【０００５】
本発明において、肩口、枕元周辺の空気が暖まり夜中の温度変化による呼吸器アレルギー症状の防止、肩口の冷え込みを改善する。
【発明を実施するための最良の形態】
【０００６】
本発明は、毛布などの基布に約四角の電気毛布などの発熱体を両側約四角に取り付け、中央部に枕を置き肩口、枕元周辺を暖房する電気毛布である。
【実施例１】
【０００７】
本発明を図面の実施例について説明すると図1は電気毛布の使用例である。両側の電気毛布などの発熱体部分を加温して枕元、肩口周辺部を暖房して使用する。
【実施例２】
【０００８】
図２は電気毛布の説明図である。１、１’は電気毛布などの発熱体、２はコントローラー、３はコード、４は発熱体のない枕置き部分、５は敷布団、６は掛け布団である。
【産業上の利用可能性】
【０００９】
本発明の電機毛布は簡単に肩口枕元周辺の空気温度を上昇させて、また、製作費用、電気代も安価である。
【図面の簡単な説明】
【００１０】
【図１】電気毛布の使用説明図である。（実施例１）
【図２】電気毛布の正面図である。（実施例２）
【符号の説明】
【００１１】
１    発熱体（電気毛布）
１’  発熱体（電気毛布）
２    コントローラー
３    枕置き
４    コード
５    敷布団
６    掛け布団
【図１】
2006158420.tif 000003
【図２】
2006158420.tif 000004
(57)【要約】【課題】従来の紙おむつはフラット型とパンツ型の二種類のみである。フラット型は構造上平面のため、使用該当者の直立状態での装着が大変困難である。一方パンツ型は構造上直立不動状態での装着には向いているが、使用該当者の動作が加わった場合での装着には不向きであり、ウエストサイズの微調整が不可能でもある【解決手段】パンツ型、フラット型紙おむつの各々の特性を活かし、片脇部の接合部を従来のパンツ型のように接合・固定し、逆脇部の接合部を従来のフラット型のようにテープ方式とする紙おむつを提供する。これにより片足のみおむつ股部に足を通すだけなので、使用該当者の動きにも柔軟に対応でき、素早くおむつ替えできる。かつ、ウエストサイズの微調整も可能になる。また、上着の脱衣・着衣の簡素化にもつながる。【選択図】図１
2006158472.tif 000002
【特許請求の範囲】
【請求項１】
フラット型紙おむつの片脇部は製造過程で接合・固定し、反対脇部は従来のテープ方式を用いて剥離自在とすることを特徴とする紙おむつ。
【請求項２】
パンツ型紙おむつの片脇部は従来通り製造過程で接合・固定し、反対脇部にはフラット型おむつのテープ方式を用いた剥離自在を特徴とする紙おむつ。
【発明の詳細な説明】
【技術分野】
【０００１】
本発明は、紙おむつの形状及び着脱様式に関する。
【背景技術】
【０００２】
従来の紙おむつの形状は図２に示すような脇部分１、２が両方テープ４になっているフラット型と図３に示すような脇部分１、２が製造時点で接合・固定されているパンツ型の２種類である。
【特許文献１】特開平７−３１３５５０号公報
【特許文献２】特開平１１−１０７００７号公報
【発明の開示】
【発明が解決しようとする課題】
【０００３】
しかしながら従来のフラット型紙おむつは平面のため、構造上子どもを寝かした状態で装着するのが本来である。直立状態での装着も可能だが双方ともに、子どもをじっとさせていることは困難であるため装着時の寝返り等により時間も掛かり、またしっかりとした装着が難しいため排泄物の漏れの原因にもつながる。
【０００４】
一方、パンツ型紙おむつは本来立たせた状態で使用することを仮定した形状であるが、思うような状態でいてくれる事は少なく、装着に手間取ってしまう。
【０００５】
例えば片足を股部に通した後、逆足を股部に通している間に子供が動き出し、先に通した方の足が抜けてしまい何度もやり直しすることが多い。また寝かせた状態での装着も可能だが手間や時間がかかる。
【０００６】
更にズボンやスパッツ類をはいているときは、全て脱衣してからでないとおむつ替え出来ず、おむつ装着後いちから着衣させなければならない欠点も伴う。
【０００７】
そこで本発明は、フラット型とパンツ型の双方の利点を活かし、装着時の簡素化を目的とする紙おむつを提供することを課題とする。
【課題を解決するための手段】
【０００８】
以上の課題を解決するために、紙おむつの片脇部は従来のパンツ型のように製造過程で接合・固定し、反対脇部は従来のフラット型紙おむつのテープ方式を用いた剥離自在を採用する。
【発明の効果】
【０００９】
第一発明及び第二発明によれば、おむつの形状の脇部分において片側テープ、片側接合・固定方式にすることで、脱衣・着衣の簡略化、時間の短縮化を図る。
【００１０】
また上記方式を採用することで従来のパンツ型に比べ、片側のテープ利用によりウエストサイズの微調整が可能となり、漏れを防ぐ効果にもつながる。
【発明を実施するための最良の形態】
【００１１】
この発明の一実施形態を図１に示す。
紙おむつの脇部１は、従来のパンツ型通り製造過程で前面・背面を接合・固定する。脇部２は従来のテープ方式とするため、前面にマチ部分３と背面から取り付けたテープ部４を作る。
【００１２】
なおかつ、使用後まるめて捨てやすいように、背面にもテープ５を取り付けておく。
【実施例１】
【００１３】
この実施形態によれば片側のみテープ方式となっているため、パンツ型側股部６に片足を通した後、逆足を股部に通すことなくフラット型側股部の前面を体に固定し、背面側に取り付けられたテープ部４を止めるだけでよい。
【００１４】
付加価値としてズボン、スパッツ等の脱衣・着衣も片足だけで済ませることが出来る。
また従来のパンツ型に比べ、片脇側をテープ部４で止めることが出来るのでウエスト部分のサイズ調整が自在になり、排泄物の漏れを防ぐ効果にもつながる。
【実施例２】
【００１５】
図１の実施形態では左をテープ式、右をパンツ式としているが、他の実施形態では右をテープ式、左をパンツ式とした物でも良い。
【図面の簡単な説明】
【００１６】
【図１】片側テープ式パンツ型紙おむつ
【図２】フラット型紙おむつ
【図３】パンツ型紙おむつ
【符号の説明】
【００１７】
１  右脇部分
２  左脇部分
３  マチ部分
４  テープ部
５  背面テープ
６  パンツ型側股部分
【図１】
2006158472.tif 000003
【図２】
2006158472.tif 000004
【図３】
2006158472.tif 000005
(57)【要約】【課題】  自分で自分の背中に湿布外用薬を貼布できない。第三者の介助を求める。【解決手段】  この発明は、課題の自分の背中に湿布外用薬を貼布できない。第三者の介助を求める。に起因し、また自らも個々独居の健康管理に苦慮しし後  独自の方法で考え出した治具である。この発明は、二遍の長方形の頭部と、二本の握り手を接続留め具で撞木形に組み、握り手に支点を設け、てこ式に湿布外用薬を挟み、握り手でもって自分の背中の患部に貼布する治具である。この発明は、頭部と接触する握り手側に角度調整の切り込みを入れた、片方向の切り込みで角度を調整、治具を表裏回転させる事で左右の利き手に併用できる。この発明の特徴は、１、頭部が長方形である。２、握り手に支点を設け撞木形鋏である。３、フィルムが自然に剥がれる事である。４、湿布外用薬に皺が寄らず綺麗に貼布できる。５、第三者の介助を求めない事が最大の解決手段である。【選択図】          図６
2006158406.tif 000002
【特許請求の範囲】
【請求項１】
湿布外用薬を手の届かない背中の患部へ貼付する治具である。
【請求項２】
二遍の長方形頭部で挟み、握り手で持ち運び外用薬を患部へ貼付する、撞木形の鋏である。
【発明の詳細な説明】
【技術分野】
【０００１】
この発明は、自分の背中に湿布外用薬を貼布する治具である。
【背景技術】
【０００２】
独自では自分の背中に湿布外用薬を貼布出来ない。第三者の介助をうける。
【発明の開示】
【発明が解決しようとする課題】
【０００３】
この発明は、第三者の介助を受けないで湿布外用薬を、自分の背中に貼布を可能となす治具を、提供することを課題とする。
【課題を解決するための手段】
【０００４】
この発明は、第一に、二遍の長方形の頭部（１）を設け、握り手二本（６）を撞木形に接続、留め具（２）で固定する。第二に、握り手の略中間に支点（５）を取り付け鋏形にし、挟みの力をより効果的に出して、湿布外用薬の持ち運びを容易にする。第三に、角度調節は図４、（３）片方向に切り込みを入れる、傾斜し回転すると治具が表裏一体の左右対称形となり、左右の利き手に併用ができる。第四に、フィルムを（４＋−）に挟み込んでフィルムを抱えさせ握り手を引くと、湿布外用薬は患部に付着し、フィルムは（４）に残り外用薬の貼布は完了する。第五に、過開き止め糸（９）で開き調度を整える。
【発明の効果】
【０００５】
その1、自分で自分の背中に湿布外用薬の貼布ができる。その２、角度調整で左右の利き手に対応できる。その３、患部の早期手当て治療が出来る。その４、湿布外用薬がぐしゃぐしゃにならず湿布外用薬の無駄をなくす。その５、第三者の介助を受けない。
【発明を実施するための最良の形態】
【０００６】
この発明は、図４（３）角度の調整は右利き左利きに関係なく同じ方向で出来る。（１）頭部に湿布外用薬を挟む。湿布外用薬のフィルムを剥ぎ（４）に挟み止める。移動は（５）支点の効きで握り手の圧力が加わり湿布外用薬が、（１）頭部から離れない。湿布外用薬を部位に接着し握り手を緩め持ち手を引っ張ると、フィルムが治具にのこり
貼布が完了する。自分の背中に第三者の介助を受けないで貼れる。早期治療早期回復。
「実施形態の効果」
【０００７】
この実施形態は、二遍の長方形の頭部に握り手をつけ支点を設けた撞木形の鋏式になっており容易に湿布外用薬を挟む事ができる。頭部の角度調整によって利き手角度の調整が出来る。握り手を持ち上げても滑り止めで湿布外用薬も治具も落ちない。外用薬布が乱雑にならない。早期治療早期治癒。第三者の介助を受けない。
「他の実施形態」
【０００８】
第三者の介助を求めた。自分で自分の背中に外用薬布の貼布は出来ない。
【図面の簡単な説明】
【０００９】
【図１】平面図である。
【図２】側面図である。
【図３】斜視図である。
【図４】角度調整図である。
【図５】作用図である。
【図６】貼布様図１である。
【図７】貼布様図２である。
【符号の説明】
【００１０】
１    挟み面頭部
２    接続留め具
３    角度調整
４    フィルム止め＋−
５    支点
６    握り手
７    すべり止め
８    糸通し穴
９    開き調整糸
【図１】
2006158406.tif 000003
【図２】
2006158406.tif 000004
【図３】
2006158406.tif 000005
【図４】
2006158406.tif 000006
【図５】
2006158406.tif 000007
【図６】
2006158406.tif 000008
【図７】
2006158406.tif 000009
(57)【要約】【課題】  自分で自分の背中に固形軟膏薬を塗付できない。第三者の介助を求めた。【解決手段】  この発明は、二分割にした円頭部へ固形軟膏薬を、挟み込んで掴むように、握り手をＵ字形にし先端を丸く棒状に加工した。二分割にした円頭部が平行に歪みのないよう、繋ぎ部の穴をあける、加工したＵ字形の丸い先端を円頭の繋ぎ穴に接続、歪みの修正しながら強固に固定する。円頭部の径は軟膏薬筒の定径よりやや小さくし、挟んで掴む反発力を加工した棒状部に発生させ、保持力を持たせた。この発明は、挟んで掴む反発力を発生させる事と、円頭部の軟膏薬筒を掴んだ形態が最大の特徴である。また、この形態により軟膏薬筒が円頭よりすり抜けることはない。握り手に刻みを付けたことによって持ち手の回転、塗付操作が円満に出来るものである。第三者の介助を受けず自分の背中に、ステック固形軟膏薬を自在に塗付できる治具を提供でき、課題を解決する事ができる。（図４、５）【選択図】          図4
2006158407.tif 000002
【特許請求の範囲】
【請求項１】
固形軟膏薬を手の届かない自分の背中の患部へ塗付する治具である。
【請求項２】
挟み部位の頭部を半円筒形二個とし連結の先端をＵ字形に加工しバネを持たせた握り手とする。
【発明の詳細な説明】
【技術分野】
【０００１】
この発明は、背中に固形軟膏薬を塗付する治具である。
【背景技術】
【０００２】
独りでは、自分の背中へステック形固形軟膏薬を塗付出来ない。第三者の介助をうける。
【発明の開示】
【発明が解決しようとする課題】
【０００３】
第三者の介助を受けないで固形軟膏薬を、自身で背中に塗付出来る治具を、提供することを課題とする。
【課題を解決するための手段】
【０００４】
この発明は、第一に、図１（１）固形軟膏薬の挟み部に、半円形の頭部を2個組み合わせた。第二に、頭部と接続する握り手の先端（３）にバネ稼働部を備え、これを最大の特徴とした。第三に、頭部と握り手の接続（２）を、ずれ、歪みしないように強固に固定した。第四に、固形軟膏薬は定型なので、頭部の挟みの円径を軟膏薬筒よりやや小さくした。第五に、軟膏薬をより円滑に塗付出来るよう滑り止めのぎざぎざをつけ握り易く加工した。
【発明の効果】
【０００５】
その1、固形軟膏薬を頭部で挟み自在に操作できる。その２、背中全体に固形軟膏薬の塗付ができる。その３、接続にバネをもせたので固形軟膏薬が落ちない。その４、早期手当治療が出来る。その５、第三者の介助を受けない。
【発明を実施するための最良の形態】
【０００６】
この発明は、図１（１）二分割にした円頭部に固形軟膏薬を挟み込んで掴む。（３）握り手のバネで弾力を持たせたため、円頭部の固形軟膏薬が固定され外れない。軟膏薬の取り付け取り外しが簡単である。取扱が簡単なので背中へ自在に塗付できる。最大の特徴は弾力を持った円頭部と掴みの形の形態である。
「実施形態の効果」
【０００７】
この実施形態は、固形軟膏薬を挟む二遍の頭部に腕をとりつけ、バネを持たせており挟む事が簡単。軟膏薬の塗付が自在に操作できる。第三者の介助を必要としない。
「他の実施形態」
【０００８】
一人では背中に固形軟膏薬を塗付できないので第三者の介助を求める。
【図面の簡単な説明】
【０００９】
【図１】平面図である。
【図２】側面図である。
【図３】斜視図である。
【図４】塗付様図１である。
【図５】塗付様図２である。
【符号の説明】
【００１０】
１    挟み円頭部
２    接続部
３    バネ部
４    握り手
５    すべり止め
【図１】
2006158407.tif 000003
【図２】
2006158407.tif 000004
【図３】
2006158407.tif 000005
【図４】
2006158407.tif 000006
【図５】
2006158407.tif 000007